(57)【要約】【課題】本発明は、極めて商品価値の高い画期的なエアコン熱交換器のＵ字管部に付設する付属品を提供することを目的とする。【解決手段】並設される複数の直線状管部１Ａと、この複数の直線状管部１Ａの端部同志間に配されるＵ字管部としての折り返し湾曲状管部１Ｂとから成り、内部に熱交換媒体を通過せしめる媒体通過管体１と、この媒体通過管体１の前記直線状管部１Ａに設けられる熱交換体２とで構成されるエアコン熱交換器に付設されるものであって、前記媒体通過管体１の折り返し湾曲状管部１Ｂに被嵌装着され、更に、熱交換部４が形成されているものである。【選択図】        図１
2005076893.tif 000002
【特許請求の範囲】
【請求項１】
並設される複数の直線状管部と、この複数の直線状管部の端部同志間に配されるＵ字管部としての折り返し湾曲状管部とから成り、内部に熱交換媒体を通過せしめる媒体通過管体と、この媒体通過管体の前記直線状管部に設けられる熱交換体とで構成されるエアコン熱交換器に付設されるものであって、前記媒体通過管体の折り返し湾曲状管部に被嵌装着され、更に、熱交換部が形成されていることを特徴とするエアコン熱交換器のＵ字管部に付設する付属品。
【請求項２】
請求項１記載のエアコン熱交換器のＵ字管部に付設する付属品において、前記熱交換部は、折り返し湾曲状管部の表面積よりも広い表面積を有するものであることを特徴とするエアコン熱交換器のＵ字管部に付設する付属品。
【請求項３】
請求項１，２いずれか１項に記載のエアコン熱交換器のＵ字管部に付設する付属品において、前記熱交換部は、複数の吸放熱板が並設されたものであることを特徴とするエアコン熱交換器のＵ字管部に付設する付属品。
【請求項４】
請求項１〜３いずれか１項に記載のエアコン熱交換器のＵ字管部に付設する付属品において、前記熱交換体は、複数の吸放熱板が並設されたものであることを特徴とするエアコン熱交換器のＵ字管部に付設する付属品。
【請求項５】
請求項１〜４いずれか１項に記載のエアコン熱交換器のＵ字管部に付設する付属品において、前記熱交換部の吸放熱板の並設状態は、前記熱交換体の吸放熱板の並設状態と同一であることを特徴とするエアコン熱交換器のＵ字管部に付設する付属品。
【請求項６】
請求項１〜５いずれか１項に記載のエアコン熱交換器のＵ字管部に付設する付属品において、二つの半体を重合して形成される構造とし、一方若しくは双方の半体の重合面には前記折り返し湾曲状管部が嵌入される凹溝が設けられていることを特徴とするエアコン熱交換器のＵ字管部に付設する付属品。
【請求項７】
請求項６記載のエアコン熱交換器のＵ字管部に付設する付属品において、前記半体同志間に該半体同志を重合した際に両者を連結する連結部が設けられていることを特徴とするエアコン熱交換器のＵ字管部に付設する付属品。
【請求項８】
請求項６，７いずれか１項に記載のエアコン熱交換器のＵ字管部に付設する付属品において、前記半体の重合面に形成した凹溝には熱伝導率の高い接着剤が配設されていることを特徴とするエアコン熱交換器のＵ字管部に付設する付属品。
【請求項９】
請求項１〜８いずれか１項に記載のエアコン熱交換器のＵ字管部に付設する付属品は、アルミダイカスト製であることを特徴とするエアコン熱交換器のＵ字管部に付設する付属品。
【請求項１０】
請求項１〜９いずれか１項に記載のエアコン熱交換器のＵ字管部に付設する付属品において、エアコン熱交換器は、民生向けエアコン熱交換器であることを特徴とするエアコン熱交換器のＵ字管部に付設する付属品。
【請求項１１】
並設される複数の直線状管部と、この複数の直線状管部の端部同志間に配されるＵ字管部としての折り返し湾曲状管部とから成り、内部に熱交換媒体を通過せしめる媒体通過管体と、この媒体通過管体の前記直線状管部に設けられる熱交換体とで構成される熱交換器に付設されるものであって、前記媒体通過管体の折り返し湾曲状管部に被嵌装着され、更に、熱交換部が形成されていることを特徴とする熱交換器のＵ字管部に付設する付属品。
【発明の詳細な説明】
【０００１】
【発明の属する技術分野】
本発明は、エアコン熱交換器のＵ字管部に付設する付属品に関するものである。
【０００２】
【従来の技術及び発明が解決しようとする課題】
近年、益々地球環境問題に関する意識が高まる中、エアコンの効率向上による消費電力削減が強く望まれており、このエアコンの効率向上は、熱交換器の熱交換率の向上によるところが大きい。
【０００３】
このエアコン熱交換器は、図５，６に図示したように並設される複数の直線状管部１Ａと、この複数の直線状管部１Ａのうち隣接する直線状管部１Ａの端部同志間に配される折り返し湾曲状管部１Ｂとから成り、内部に熱交換媒体を通過せしめる媒体通過管体１と、この媒体通過管体１の前記直線状管部１Ａに連設され、複数の吸放熱板２ａを並設して成る熱交換体２（フィン体）とで構成される構造である。
【０００４】
このエアコン熱交換器の熱交換率を向上させる為には、装置自体を大きくすることが有効であるが、エアコン自体は、設置スペースの制限やコスト面などの点から小型化が進んでいる為、熱交換器を大型化するにも限界があり実質不可能である。
【０００５】
そこで、従来においても、熱交換器を構成する媒体通過管体やフィン体を熱伝導率の良い素材で形成することや、熱伝導率の高い媒体の研究が進められているが、コスト面などの問題から未だ満足できるものが提案されていないのが現状である。
【０００６】
従って、業界では、この熱交換器に関し、コスト安にして熱効率を飛躍的に向上し得る技術の開発が望まれている。
【０００７】
本出願人は、この熱交換器に関する種々の実験・研究を重ねた結果、極めて商品価値の高い画期的なエアコン熱交換器のＵ字管部に付設する付属品を開発した。
【０００８】
【課題を解決するための手段】
添付図面を参照して本発明の要旨を説明する。
【０００９】
並設される複数の直線状管部１Ａと、この複数の直線状管部１Ａの端部同志間に配されるＵ字管部としての折り返し湾曲状管部１Ｂとから成り、内部に熱交換媒体を通過せしめる媒体通過管体１と、この媒体通過管体１の前記直線状管部１Ａに設けられる熱交換体２とで構成されるエアコン熱交換器に付設されるものであって、前記媒体通過管体１の折り返し湾曲状管部１Ｂに被嵌装着され、更に、熱交換部４が形成されていることを特徴とするエアコン熱交換器のＵ字管部に付設する付属品に係るものである。
【００１０】
また、請求項１記載のエアコン熱交換器のＵ字管部に付設する付属品において、前記熱交換部４は、折り返し湾曲状管部１Ｂの表面積よりも広い表面積を有するものであることを特徴とするエアコン熱交換器のＵ字管部に付設する付属品に係るものである。
【００１１】
また、請求項１，２いずれか１項に記載のエアコン熱交換器のＵ字管部に付設する付属品において、前記熱交換部４は、複数の吸放熱板４ａが並設されたものであることを特徴とするエアコン熱交換器のＵ字管部に付設する付属品に係るものである。
【００１２】
また、請求項１〜３いずれか１項に記載のエアコン熱交換器のＵ字管部に付設する付属品において、前記熱交換体２は、複数の吸放熱板２ａが並設されたものであることを特徴とするエアコン熱交換器のＵ字管部に付設する付属品に係るものである。
【００１３】
また、請求項１〜４いずれか１項に記載のエアコン熱交換器のＵ字管部に付設する付属品において、前記熱交換部４の吸放熱板４ａの並設状態は、前記熱交換体２の吸放熱板２ａの並設状態と同一であることを特徴とするエアコン熱交換器のＵ字管部に付設する付属品に係るものである。
【００１４】
また、請求項１〜５いずれか１項に記載のエアコン熱交換器のＵ字管部に付設する付属品において、二つの半体５，６を重合して形成される構造とし、一方若しくは双方の半体５，６の重合面には前記折り返し湾曲状管部１Ｂが嵌入される凹溝７が設けられていることを特徴とするエアコン熱交換器のＵ字管部に付設する付属品に係るものである。
【００１５】
また、請求項６記載のエアコン熱交換器のＵ字管部に付設する付属品において、前記半体５，６同志間に該半体５，６同志を重合した際に両者を連結する連結部８が設けられていることを特徴とするエアコン熱交換器のＵ字管部に付設する付属品に係るものである。
【００１６】
また、請求項６，７いずれか１項に記載のエアコン熱交換器のＵ字管部に付設する付属品において、前記半体５，６の重合面に形成した凹溝７には熱伝導率の高い接着剤が配設されていることを特徴とするエアコン熱交換器のＵ字管部に付設する付属品に係るものである。
【００１７】
また、請求項１〜８いずれか１項に記載のエアコン熱交換器のＵ字管部に付設する付属品は、アルミダイカスト製であることを特徴とするエアコン熱交換器のＵ字管部に付設する付属品に係るものである。
【００１８】
また、請求項１〜９いずれか１項に記載のエアコン熱交換器のＵ字管部に付設する付属品において、エアコン熱交換器は、民生向けエアコン熱交換器であることを特徴とするエアコン熱交換器のＵ字管部に付設する付属品に係るものである。
【００１９】
また、並設される複数の直線状管部１Ａと、この複数の直線状管部１Ａの端部同志間に配されるＵ字管部としての折り返し湾曲状管部１Ｂとから成り、内部に熱交換媒体を通過せしめる媒体通過管体１と、この媒体通過管体１の前記直線状管部１Ａに設けられる熱交換体２とで構成される熱交換器に付設されるものであって、前記媒体通過管体１の折り返し湾曲状管部１Ｂに被嵌装着され、更に、熱交換部４が形成されていることを特徴とする熱交換器のＵ字管部に付設する付属品に係るものである。
【００２０】
【発明の作用及び効果】
本出願人は、熱交換器の熱効率を向上するにあたり、媒体通過管体１に係る折り返し湾曲状管部１Ｂの熱効率を向上することに着目した。
【００２１】
即ち、この熱交換器は、前述したように媒体通過管体１と熱交換体２とで構成されており、この熱交換体２は、表面積を広くすることで熱交換率を向上するためのものであるが（単に媒体通過管体１だけの場合に比し熱効率が向上する。）、その構造上、複数の金属製の吸放熱板２ａを並設して成る熱交換体２で折り返し湾曲状管部１Ｂを被覆させることが困難であるなどの理由から、この熱交換体２は直線状管部１Ａだけに設けられており、折り返し湾曲状管部１Ｂには設けられていないのが現状である。
【００２２】
そこで、本出願人は、この観点から種々の実験・研究を繰り返し行い、その結果、極めて画期的な本発明を完成した。
【００２３】
本発明は、媒体通過管体１の折り返し湾曲状管部１Ｂに装着して、熱交換部４を形成し得るものである。
【００２４】
この熱交換部４の存在により、折り返し湾曲状管部１Ｂの表面積を広くすることができ、それだけ効率の良い熱交換が行われることになる。
【００２５】
従って、従来から熱交換体２が設けられず効率の悪かった部分の熱交換率を向上させることができ、熱交換器自体を大型化することなくコスト安に熱交換率の向上が確実に達成されることになる。
【００２６】
以上のように、本発明は、従来にない画期的な作用効果を発揮し、極めて商品価値の高いものになる。
【００２７】
【発明の実施の形態】
図面は本発明の一実施例を図示したものであり、以下に説明する。
【００２８】
本実施例は、図５，６に図示したように並設される複数の直線状管部１Ａと、この複数の直線状管部１Ａの端部同志間に配されるＵ字管部としての折り返し湾曲状管部１Ｂとから成り、内部に熱交換媒体を通過せしめる媒体通過管体１と、この媒体通過管体１の前記直線状管部１Ａに設けられ、複数の金属製の吸放熱板２ａを並設して成る熱交換体２（フィン体）とで構成されるエアコン熱交換器に付設するものである。尚、本実施例で図示したエアコン熱交換器を構成する媒体通過管体１は銅製、熱交換体２（フィン体）はアルミ製であり、媒体通過管体１に係る直線状管部１Ａを熱交換体２（フィン体）の連結孔２ｂに挿通させた後、この直線状管部１Ａの端部同志間に折り返し湾曲状管部１Ｂを溶接することでエアコン熱交換器は完成する。
【００２９】
具体的には、本実施例は、前述したエアコン熱交換器を構成する媒体通過管体１の折り返し湾曲状管部１Ｂに被嵌装着されるものであり、図１〜３に図示したようにアルミダイカスト製の二つの半体５，６を重合して形成される構造であり、この双方の半体５，６夫々の重合面５ａ，６ａには、折り返し湾曲状管部１Ｂが嵌入されるＵ字状の凹溝７が設けられている。
【００３０】
従って、本実施例は、半体５，６夫々に設けた凹溝７を介して折り返し湾曲状管部１Ｂを挟み込んだ状態で被嵌連結することができる。
【００３１】
また、半体５，６同志の対向所定位置に該半体５，６同志を重合した際に両者を着脱自在に連結する連結部８が設けられている。
【００３２】
この連結部８は、図３に図示したように双方の半体５，６夫々に係止爪部８ａを設け、この係止爪部８ａが係止する係止部８ｂを双方の半体５，６夫々に設けて構成されており、この係止部８ｂに対して係止爪部８ａが係止するように半体５，６同志を重合させるだけでワンタッチで係止連結することができる。
【００３３】
また、半体５，６は、その周面に吸放熱板４ａが複数突設されて熱交換部４が形成されており、この吸放熱板４ａは、折り返し湾曲状管部１Ｂに装着した際、熱交換体２（フィン体）に係る吸放熱板２ａの長さ方向と同一方向に長さを有するように形成されている。
【００３４】
以上の構成からなる本実施例は、図４に図示したようにエアコン熱交換器を構成する媒体通過管体１の折り返し湾曲部１Ｂ夫々に装着されるものであり、折り返し湾曲状管部１Ｂに装着する際、折り返し湾曲状管部１Ｂを嵌入させる凹溝７に熱伝導率の高い接着剤を配している。
【００３５】
符号５ｂ，６ｂは鋳抜き孔である。
【００３６】
本実施例は上述のように構成したから、従来から熱交換体２が設けられず効率の悪かった部分の熱交換率を向上することができ（熱交換部４（吸放熱板４ａ）が設けられる分だけ確実に熱交換率が向上する。）、もともとデッドスペースとされてきた部位を有効利用するものであるから、エアコン熱交換器自体を大型化することなくコスト安に熱交換率の向上が確実に達成されることになる（特に小型化が要求される民生向けエアコン熱交換器に最適である。）。
【００３７】
また、本実施例は、従来から剥き出しの状態となっていた折り返し湾曲状管部１Ｂを保護する機能も発揮し得ることになる。
【００３８】
また、本実施例は、アルミダイカスト製の二つの半体５，６を重合して形成される構造とし、双方の半体の重合面５ａ，６ａに前記折り返し湾曲状管部１Ｂが嵌入される凹溝７を設けたから、簡易構造故にコスト安にして量産性に秀れることになり、しかも、折り返し湾曲状管部１Ｂに対する装着が極めて簡易且つ迅速に行えることになる。
【００３９】
また、本実施例は、半体５，６同志間に該半体５，６同志を重合した際に両者を連結する連結部８が設けられているから、工具などを使用せずとも半体５，６同志の連結が簡易に行える故により一層折り返し湾曲状管部１Ｂに対する装着が極めて簡易且つ迅速に行えることになる。
【００４０】
また、本実施例は、折り返し湾曲状管部１Ｂに装着する際、半体５，６夫々の重合面５ａ，６ａに形成した凹溝７に熱伝導率の高い接着剤が配設されているから、仮に折り返し湾曲状管部１Ｂの外面と凹溝７の内面との間に隙間が生じたとしても、この隙間は熱伝導率の高い接着剤により埋められる（塞がる）ことになるから、良好な密接状態が得られて極めて熱伝導率を向上することができ、しかも、凹溝７を具備する半体５，６夫々を製造する際の精度を上げなくても良いことになり、この点においてもコスト安にして量産性に秀れることになる。
【００４１】
また、本実施例は、熱交換部４の吸放熱板４ａの並設状態は、熱交換体２の吸放熱板２ａの並設状態と同一であるから、この吸放熱板４ａの存在により表面積が飛躍的に広り、吸放熱板４ａ同志の間を通過させる空気の流れを阻害する事無く良好となる故に熱効率が飛躍的に向上することになり、しかも、美感にも秀れて極めて商品価値が高いものとなる。
【００４２】
尚、本発明は、本実施例に限られるものではなく、各構成要件の具体的構成は適宜設計し得るものである。
【図面の簡単な説明】
【図１】本実施例を示す斜視図である。
【図２】本実施例を説明する分解斜視図である。
【図３】本実施例に係る要部の説明図である。
【図４】本実施例の使用状態説明図である。
【図５】熱交換器を説明する分解斜視図である。
【図６】熱交換器を示す斜視図である。
【符号の説明】
１  媒体通過管体
１Ａ  直線状管部
１Ｂ  折り返し湾曲状管部
２  熱交換体
２ａ  吸放熱板
４  熱交換部
４ａ  吸放熱板
５  半体
６  半体
７  凹溝
８  連結部
【図１】
2005076893.tif 000003
【図２】
2005076893.tif 000004
【図３】
2005076893.tif 000005
【図４】
2005076893.tif 000006
【図５】
2005076893.tif 000007
【図６】
2005076893.tif 000008